(57)【要約】ベースとカートリッジとを有する捕虫装置が提供される。カートリッジは、シェル及びインサートを有する。インサートは、シェル内に取り外し可能に保持され、捕虫のための接着剤部を有する。カートリッジがベースから取り外され、シェルがユーザによって押しつぶされると、重力によってインサートをシェルから引き抜くことができる。捕虫装置は、光源及び加熱素子などの虫誘引物質を有し得る。
2019517820.tif 000002
【特許請求の範囲】
【請求項１】
ベースと、
インサート及びシェルを備えるカートリッジであって、
前記シェルは、飛翔虫又は地這虫を受容するための開口部を画定する前面と、後面と、前記シェルの底部の開口部と、を備え、前記底部の前記開口部は、前記カートリッジが前記ベースに係合する際に、前記ベースに隣接して配置され、
前記インサートは、接着剤部を備え、
前記インサートは、少なくとも部分的に前記シェル内で取り外し可能に保持され、前記インサートを前記シェルに挿入する際に、前記インサートの少なくとも一部は前記底部の前記開口部を通過する、カートリッジと、
前記カートリッジが前記ベースと係合する際に、前記接着剤部の少なくとも一部を照明するように位置決めされる光源と、を備える、捕虫装置。
【請求項２】
前記カートリッジが前記ベースから取り外される際に、ユーザが前記シェルの前記前面及び前記シェルの前記後面のうちの１つ以上に内向きの力を加えることに応答して、前記インサートは、前記底部の前記開口部を介して前記シェルから離脱する、請求項１に記載の捕虫装置。
【請求項３】
前記力は手によって加えられる、請求項２に記載の捕虫装置。
【請求項４】
前記インサートは、前記ユーザが前記接着剤部に触れることなしに前記シェルから離脱する、請求項２〜３のいずれか一項に記載の捕虫装置。
【請求項５】
前記インサートは、前記力が加えられた後で、重力によって前記シェルから離脱する、請求項２〜４のいずれか一項に記載の捕虫装置。
【請求項６】
前記シェルは下部を備え、前記力は前記シェルの前記下部に加えられる、請求項２〜５のいずれか一項に記載の捕虫装置。
【請求項７】
前記下部は、約１．５ｍｍ、２、４、６、８、１０ｍｍ〜約２８、３０、３２、３４、３６、４０、４５ｍｍの高さを有する、請求項６に記載の捕虫装置。
【請求項８】
前記シェルは、前記下部の上に物理的表示を備える、請求項６に記載の捕虫装置。
【請求項９】
前記力を加えることによって、該力が加えられた位置において、前記シェルの前記前面及び前記シェルの前記後面のうちの１つ以上における内向きのたわみが生じる、請求項２〜８のいずれか一項に記載の捕虫装置。
【請求項１０】
前記たわみは、前記力が加えられる位置において、約１ｍｍ〜約３０ｍｍである、請求項９に記載の捕虫装置。
【請求項１１】
前記ベースは、前記カートリッジが前記ベースと係合して、前記力が前記シェルに加えられた際に、前記シェルの前記前面及び前記シェルの前記後面のうちの１つ以上におけるたわみを制限する少なくとも１つの直立タブを更に備える、請求項９又は１０のいずれか一項に記載の捕虫装置。
【請求項１２】
前記力を加えることで、前記シェルの前記底部から約０．２ｍｍ〜約３０ｍｍにある点において、前記シェルにおける約０．２ｍｍ〜約４、６、８、１０ｍｍの外向きたわみが生じる、請求項２〜１１のいずれか一項に記載の捕虫装置。
【請求項１３】
前記インサートは２つの側縁部を備え、該側縁部のそれぞれは、前記シェルの内表面上の対応する突出部と取り外し可能に係合する凹みを有する、請求項２〜１２のいずれか一項に記載の捕虫装置。
【請求項１４】
前記力を加えることで、前記突出部が前記凹みから係合解除され、それにより前記インサートが前記シェルから取り外される、請求項１３に記載の捕虫装置。
【請求項１５】
前記インサートは、高さ及び前記側縁部で終端する上部縁部を有する上部を有する、請求項１３又は１４のいずれか一項に記載の捕虫装置。
【請求項１６】
前記上部縁部は円弧形状であり、任意で、前記インサートは、約７５ｍｍ〜約１２５ｍｍの高さ、及び約５０ｍｍ〜約１００ｍｍの幅を有する、請求項１５に記載の捕虫装置。
【請求項１７】
前記２つの側縁部のそれぞれの上の前記凹みは、前記インサートの底縁部から約１０、１５、２０ｍｍ〜約４０、５０、６０、７０、８０、９０ｍｍ上方に位置決めされる、請求項１３〜１６のいずれか一項に記載の捕虫装置。
【請求項１８】
各側縁部上の前記凹みは、約０．５ｍｍ〜約１０ｍｍの長さ、及び約０．５ｍｍ〜約３．５ｍｍの深さを有し、シェルの前記内表面上の前記突出部は、約０．４ｍｍ〜約９．９ｍｍの長さ、及び約０．２ｍｍ〜約４ｍｍの幅を有する、請求項１３〜１７のいずれか一項に記載の捕虫装置。
【請求項１９】
前記シェルは、押し下げ可能なタブを有する上面を備える、請求項１に記載の捕虫装置。
【請求項２０】
前記押し下げ可能なタブは、フランジに連結されて前記インサートと係合する、請求項１９に記載の捕虫装置。
【請求項２１】
前記押し下げ可能なタブは、押し下げられると、前記インサートを係合解除する、請求項２０に記載の捕虫装置。
【請求項２２】
前記インサートは、前記接着剤部を少なくとも部分的に包囲するフレームを更に備える、請求項１〜２１のいずれか一項に記載の捕虫装置。
【請求項２３】
前記接着剤部は、虫を捕獲すると共に前記接着剤部を前記フレームの少なくとも一部に取り付ける接着剤を備える、請求項２２に記載の捕虫装置。
【請求項２４】
前記フレームは前部及び後部を備え、前記接着剤部の少なくとも一部は、前記前部と前記後部との間に配置される、請求項２２に記載の捕虫装置。
【請求項２５】
前記フレームは、前記接着剤部を捕捉する複数の突出部を備える、請求項２２に記載の捕虫装置。
【請求項２６】
前記接着剤部はほぼ平面状であり、前記フレームはほぼ平面状である、請求項１〜２５のいずれか一項に記載の捕虫装置。
【請求項２７】
前記インサートは、昆虫誘引組成物を貯蔵するリザーバを更に備える、請求項１〜２６のいずれか一項に記載の捕虫装置。
【請求項２８】
前記リザーバは、部分的には、前記接着剤部から離れる方向に延在する前壁によって画定される、請求項２７に記載の捕虫装置。
【請求項２９】
前記前壁は前記フレームと一体的に形成され、前記リザーバは約１ｃｍ３〜６０ｃｍ３の容積を有する、請求項２８に記載の捕虫装置。
【請求項３０】
前記前壁は凸形状を有する、請求項２８及び２９のいずれか一項に記載の捕虫装置。
【請求項３１】
前記リザーバは、ほぼ平面状の後壁によって更に画定される、請求項２７〜３０のいずれか一項に記載の捕虫装置。
【請求項３２】
前記フレームと、前記リザーバと、前記ほぼ平面状の後壁とは、一体的に形成される、請求項３１に記載の捕虫装置。
【請求項３３】
前記リザーバは、前記昆虫誘引組成物の上方に配置されたリザーバ開口部を備え、前記接着剤部は前記リザーバ開口部に隣接して終端する、請求項２８〜３０のいずれか一項に記載の捕虫装置。
【請求項３４】
前記リザーバ開口部は、少なくとも部分的に前記前壁によって画定される、請求項３３に記載の捕虫装置。
【請求項３５】
前記リザーバは、前記リザーバ開口部の少なくとも一部の周囲を延在する出っ張りを更に備える、請求項３４のいずれか一項に記載の捕虫装置。
【請求項３６】
前記リザーバは、約１ｍｍ〜約３０ｍｍの深さと、約１０ｍｍ〜約１００ｍｍの幅と、約１ｍｍ〜約５０ｍｍの高さとを有する、請求項２７〜３５のいずれか一項に記載の捕虫装置。
【請求項３７】
前記カートリッジが前記ベースと係合する際に、前記リザーバの少なくとも一部は前記ベース内に延在する、請求項２７〜３６のいずれか一項に記載の捕虫。
【請求項３８】
前記ベースは、前記カートリッジが前記ベースと係合する際に前記リザーバの後方に配置される回路基板を更に備え、前記回路基板は前記ベース内で垂直に配置される、請求項２７〜３７のいずれか一項に記載の捕虫装置。
【請求項３９】
前記インサートは、前記カートリッジが前記ベースと係合する際に前記ベース内でスイッチと係合する下方垂下タブを更に備える、請求項１〜３８のいずれか一項に記載の捕虫装置。
【請求項４０】
前記下方垂下タブの垂直中心線は、前記インサートの垂直中心線からオフセットされている、請求項３９に記載の捕虫装置。
【請求項４１】
前記ベースは、発熱素子を収容する上方に延在するハウジングを更に備える、請求項１〜４０のいずれか一項に記載の捕虫装置。
【請求項４２】
前記ハウジングは、前記カートリッジが前記ベースと係合する際に、前記シェルの前記底部の前記開口部を通って前記シェル内に延在する、請求項４１に記載の捕虫装置。
【請求項４３】
前記カートリッジが前記ベースと係合する際に、前記ハウジングは前記インサートの後方に配置される、請求項４１〜４２のいずれか一項に記載の捕虫装置。
【請求項４４】
前記ベースが前記光源を備えるか、前記シェルが前記光源を備えるか、又は前記インサートが前記光源を備えるか、のいずれかである、請求項１〜４３のいずれか一項に記載の捕虫装置。
【請求項４５】
前記インサートは、前記光源と電気通信する接点を有する下方垂下タブを備える、請求項１〜４４のいずれか一項に記載の捕虫装置。
【請求項４６】
前記インサートは、摩擦嵌めによって前記シェル内に取り外し可能に保持される、請求項１〜１１のいずれか一項に記載の捕虫装置。
【請求項４７】
前記シェルに力が加えられていない時に、前記シェルは、約０．２ｍｍ〜約４ｍｍである前記インサートとの締まり嵌めを有する、請求項４６のいずれか一項に記載の捕虫装置。
【請求項４８】
前記インサートは上部を有し、前記シェルは閉鎖した上部を有し、前記インサートが前記シェル内に着座すると、前記シェルの前記上部は前記インサートの前記上部と近接して配置される、請求項１〜４７のいずれか一項に記載の捕虫装置。
【請求項４９】
前記カートリッジは、前記ベースと取り外し可能に係合する、請求項１〜４８のいずれか一項に記載の捕虫装置。
【請求項５０】
前記インサートが前記シェル内に着座すると、前記前面及び前記後面は、前記接着剤部を実質的に包囲する、請求項１〜４９のいずれか一項に記載の捕虫装置。
【発明の詳細な説明】
【技術分野】
【０００１】
本開示は、広義には捕虫装置に関し、より詳細には、交換可能な部品を有する携帯型捕虫装置に関する。
【背景技術】
【０００２】
従来、種々の有害生物防除装置が、昆虫及び他の有害生物を捕獲するために使用されている。昆虫によって拡散される近年の様々な疾患、感染症、その他の健康リスクの発生に伴い、有害生物防除装置の必要性は増加を続けている。こうした有害生物防除装置は、典型的には有害生物を有害生物防除装置に誘引する誘引機構を採用している。例示的な誘引機構としては、食品、光、フェロモン、又は有害生物によって誘引的であると認められる他の匂い物質などの餌類が挙げられる。従来、一部の有害生物防除装置は、有害生物が有害生物防除装置から退出するのを防ぐための不動化機構を含んでいる。用いられる不動化機構の一種は、接着剤でコーティングした表面を有する板材、紙、又はその他の媒体などの基板である。有害生物防除装置に誘引された、又は偶発的に接着剤と接触した有害生物は、接着によって捕獲される。
【０００３】
接着剤コーティングされた基板の一種は、一般にグルーボード（glueboard）と称される。包装及び出荷のために、接着剤層は剥離紙で被覆することができる。剥離紙は接着剤層を露出させるために使用前に取り外され、そうして有害生物が接着剤層と接触して罠にかかることができる。こうした使い捨て式グルーボードは、有害生物防除装置の継続した有効性を保証するため、また、グルーボードによって不動化された有害生物を廃棄するために、定期的に交換される。
【０００４】
グルーボードを製造する際に使用する接着剤が捕虫に有効であることは証明されているが、接着剤の性質は、有害生物防除装置からのグルーボードの挿抜が問題となり得るようなものである。グルーボードの接着面が誤って有害生物防除装置の他の面と接触した場合、接着剤のためにグルーボードがこれらの面に粘着してしまう。同様に、グルーボードを取り付け又は取り外しする人の皮膚又は衣服が接着面と接触した場合、グルーボードがその人又はその人の衣服に粘着してしまう。グルーボードの構成によっては、グルーボードを取り外す人が、不所望に捕獲された昆虫と接触するか、又は密接してしまう場合がある。
【０００５】
一部の種類の有害生物防除装置は、シェルなどの外部ハウジング内に取外し不能に取り付けられたグルーボードを備える。こうした配置により、ユーザがグルーボードに接触する可能性を低減することができる。これらの有害生物防除装置の一部の例が、ＰＣＴ特許公開第２０１５／１６４，８４９号、同第２０１５／０８１，０３３号、及び同第２０１４／１３４，３７１号で説明されている。
【先行技術文献】
【特許文献】
【０００６】
【特許文献１】ＰＣＴ特許公開第２０１５／１６４，８４９号
【特許文献２】ＰＣＴ特許公開第２０１５／０８１，０３３号
【特許文献３】ＰＣＴ特許公開第２０１４／１３４，３７１号
【発明の概要】
【発明が解決しようとする課題】
【０００７】
しかしながら、改善の機会は存在する。実際に、捕獲された昆虫又は接着剤に全く触れることなく、ユーザがグルーボードを容易に取り外して廃棄することが可能な捕虫装置を提供することは有利であろう。また、交換用グルーボードを配置調整及び挿入するための改善された技術を提供する捕虫装置を提供することも有利であろう。また、捕虫装置と、低減した量の包装材料を備えて廃棄物の量を減少させることのできる、捕虫装置のための交換部品と、を提供することも有利であろう。ユーザが使用済みの部品を新しい部品と交換する、又はシェルをベースに係合させる時などに、ユーザが様々な部品の配置調整を行い、部品の適切な方向付けを保証するのを助けるように構成された捕虫装置を提供することは更に有利であろう。家庭、オフィス、又はその他の占有空間で使用するのに十分な携帯性があり、かつ審美的に美しい捕虫装置を提供することは更に有利であろう。
【課題を解決するための手段】
【０００８】
本開示は、一実施形態では、ベースと、インサート及びシェルを備えるカートリッジと、を備える捕虫装置によって、上記のニーズのうちの１つ以上を満たす。シェルは、飛翔虫又は地這虫を受容するための開口部を画定する前面と、後面と、シェルの底部の開口部と、を備える。底部の開口部は、カートリッジがベースに係合する際に、ベースに隣接して配置される。このインサートは、シェル内に少なくとも部分的に取り外し可能に保持された接着剤部を備える。インサートの少なくとも一部は、インサートをシェルに挿入する際に、底部の開口を通過する。光源は、カートリッジがベースと係合する際に、接着剤部の少なくとも一部を照明するように位置決めされる。
【０００９】
別の一実施形態では、捕虫装置と共に使用するためにシェルに挿入するためのインサートであって、シェルが、シェルの内表面から延在する１つ以上の突出部を有する、インサートは、捕虫するための接着剤を備える接着剤部と、接着剤部を少なくとも部分的に包囲するフレームと、を備える。フレームは、２つの側縁部と、高さ及び側縁部で終端する上部縁部を有する上部と、を備える。各側縁部は、上部縁部の終端の２ｍｍ以内に位置決めされた頂縁部を有する凹みを有する。
【００１０】
別の一実施形態では、捕虫装置のためのインサートは、捕虫するための接着剤を備える接着剤部と、接着剤部を少なくとも部分的に包囲するフレームと、を備える。フレームは、２つの側縁部と、底縁部と、底縁部から下方に延出する下方垂下タブと、を備える。下方垂下タブの垂直中心線は、接着剤部の垂直中心線からオフセットされている。
【００１１】
更に別の実施形態では、捕虫するためのインサートを作製する方法は、フレームを形成することと、リザーバを形成することと、昆虫誘引組成物をリザーバに挿入することと、接着剤部をフレームの少なくとも一部に取り付けることと、を含む。
【００１２】
別の実施形態では、地這虫捕虫器は、地這虫を受容するための開口部を画定するエンクロージャを形成する前部ハウジング及び後部ハウジングを備える。前部ハウジングは、ヒンジによって後部ハウジングに連結され、エンクロージャは、開放位置と閉鎖位置との間で選択的に移動可能である。開放位置にある時、前部ハウジングの少なくとも一部は、後部ハウジングと分離される。地這虫捕虫器は、接着剤部を有するインサートを更に備える。インサートは、エンクロージャが閉鎖位置にある時に、エンクロージャの少なくとも一部分内に取り外し可能に保持される。
【００１３】
別の一実施形態では、ベースと併用するためのカートリッジは、接着剤部を備えるインサート、及び飛翔虫又は地這虫を受容するための開口部を画定する前面と、後面と、開口部を備える底部と、を備えるシェルを備える。底部の開口部は、カートリッジがベースに係合する際に、ベースに隣接して配置される。インサートは、少なくとも部分的にシェル内に取り外し可能に保持され、インサートをシェルに挿入する際に、インサートの少なくとも一部は底部の開口部を通過する。インサートは、ユーザがシェルの前面又はシェルの後面のうちの１つ以上に内向きの力を加えることに応答して、底部の開口部から離脱する。
【００１４】
別の一実施形態では、キットは、接着剤部を備えるインサートと、カートリッジと、を備え、カートリッジはベースと併用するためにある。キットのカートリッジは、飛翔虫又は地這虫を受容するための開口部を画定する前面と、後面と、開口部を備える底部と、を備えるシェルを有する。底部の開口部は、カートリッジがベースに係合する際に、ベースに隣接して配置される。インサートは、少なくとも部分的にシェル内に取り外し可能に保持され、インサートをシェルに挿入する際に、インサートの少なくとも一部は底部の開口部を通過する。インサートは、ユーザがシェルの前面又はシェルの後面のうちの１つ以上に内向きの力を加えることに応答して、底部の開口部から離脱する。
【００１５】
更に別の実施形態では、カートリッジを使用する方法は、その内部に少なくとも部分的に配置されたインサートを有するシェルを把持することを含む。インサートは、接着剤部を備え、シェルは、飛翔虫又は地這虫を受容するための開口部を画定する前面と、後面と、底部開口部と、を備える。この方法は更に、シェルの前面又はシェルの後面のうちの１つ以上に内向きの力を加えることを含む。力を加えることに応答して、インサートは重力によって底部の開口部から離脱する。
【００１６】
別の一実施形態では、カートリッジを使用する方法は、ユーザがインサートを備えるシェルを把持する工程であって、インサートは捕虫するための接着剤部を備え、シェルは前面と、後面と、シェルの底部の開口部と、を備える、工程を含む。続いて、その工程の後に、シェルの前面又はシェルの後面のうちの少なくとも１つに力を加える工程、続いて、インサートがシェルの内部に少なくとも部分的に配置されるまで、インサートを底部の開口部を介してシェルに挿入する工程。続いて、その工程の後に、前面又は後面のうちの少なくとも１つに加えられた力を解放する工程であって、力の解放時に、インサートは摩擦嵌めによってシェル内に保持される、工程。
【００１７】
別の一実施形態では、捕虫するためのカートリッジは、接着剤部を備えるインサートと、昆虫誘引組成物を貯蔵するリザーバと、を備える。カートリッジは更に、飛翔虫又は地這虫を受容するための開口部を画定する前面と、後面と、開口部を備える底部と、を備えるシェルを備える。インサートは、少なくとも部分的にシェル内に取り外し可能に保持され、インサートをシェルに挿入する際に、インサートの少なくとも一部は底部の開口部を通過する。リザーバは、インサートが少なくとも部分的にシェル内に取り外し可能に保持される際に、底部開口部に隣接して位置決めされる。インサートは、ユーザがシェルの前面又はシェルの後面のうちの１つ以上に内向きの力を加えることに応答して、底部の開口部から離脱する。
【００１８】
別の一実施形態では、捕虫装置は、ベースと、インサート及びシェルを備えるカートリッジと、を備える。シェルは、飛翔虫又は地這虫を受容するための開口部を画定する前面と、後面と、シェルの底部の開口部と、第１のサイドゾーンと、第２のサイドゾーンと、を備え、前面及び後面は、第１及び第２のサイドゾーンのそれぞれの内部に接合し、底部の開口部は、カートリッジがベースに係合する際に、ベースに隣接して配置される。インサートは、接着剤部を備え、インサートは、少なくとも部分的にシェル内に取り外し可能に保持され、インサートをシェルに挿入する際に、インサートの少なくとも一部は底部の開口部を通過する。カートリッジがベースから取り外される際に、ユーザがシェルの第１及び第２のサイドゾーンのうちの１つ以上に内向きの力を加えるのに応答して、インサートは、底部の開口部を介してシェルから離脱する。光源は、カートリッジがベースと係合する際に、接着剤部の少なくとも一部を照明するように位置決めされる。
【００１９】
更に別の一実施形態では、捕虫装置は、ベースと、インサート及びシェルを備えるカートリッジと、を備える。シェルは、飛翔虫又は地這虫を受容するための開口部を画定する前面と、後面と、シェルの底部の開口部と、第１のサイドゾーンと、第２のサイドゾーンと、を備える。前面及び後面は第１及び第２のサイドゾーンのそれぞれの内部に接合し、底部の開口部は、カートリッジがベースに係合する際に、ベースに隣接して配置される。インサートは、接着剤部を備える。インサートは、少なくとも部分的にシェル内に取り外し可能に保持され、インサートをシェルに挿入する際に、インサートの少なくとも一部は底部の開口部を通過する。カートリッジがベースから取り外される際に、ユーザがシェルの第１及び第２のサイドゾーン（sides zones）のうちの１つ以上に内向きの力を加えることに応答して、インサートは、底部の開口部を介してシェルから離脱する。
【００２０】
別の一実施形態では、捕虫装置のシェルに挿入するためのインサートは、捕虫するための接着剤を備える接着剤部と、接着剤部を少なくとも部分的に包囲するフレームと、を備える。インサートは更に、固形の昆虫誘引組成物を貯蔵するリザーバを備え、リザーバはインサートの下部に位置する。
【図面の簡単な説明】
【００２１】
本開示の上述の特徴及び利点並びに他の特徴及び利点、またそれらを実現する方法は、本開示の非限定的実施形態の以下の説明を、添付図面と併せて参照することによってより明白となり、本開示自体がより良好に理解されるであろう。
【図１】捕虫装置の一例を示す。
【図２】図１に示す捕虫装置の分解図である。
【図３Ａ】図１のシェルの上面図である。
【図３Ｂ】図１のシェルの底面図である。
【図４】図３Ａのシェルの線４−４に沿って取った断面図である。
【図５】図２のインサートの上面図である。
【図６】図２のインサートの正面図である。
【図７】図１のベースの等角図である。
【図８Ａ】ベースに連結されたカートリッジを示す。
【図８Ｂ】シェルから取り外されてゴミ容器に廃棄されるインサートを示す。
【図９】別の例の捕虫装置のカートリッジの一例を示す。
【図１０】図９のカートリッジを用いた捕虫装置の一例を示す。
【図１１】図９のカートリッジの断面図である。
【図１２】図１１の拡大された一部である。
【図１３】インサートの配置の例を示す。
【図１４】インサートの配置の例を示す。
【図１５Ａ】インサートの配置の例を示す。
【図１５Ｂ】インサートの配置の例を示す。
【図１６Ａ】インサートの配置の例を示す。
【図１６Ｂ】インサートの配置の例を示す。
【図１７】インサートの配置の例を示す。
【図１８】インサートの配置の例を示す。
【図１９Ａ】光源を有するインサートの等角図である。
【図１９Ｂ】光源を有するインサートの等角図である。
【図２０Ａ】光源及びリザーバを有するインサートの等角図である。
【図２０Ｂ】光源及びリザーバを有するインサートの等角図である。
【図２１】捕虫装置のシェルの一例を示す。
【図２２】図２１のシェルの線２２−２２に沿って取った断面図である。
【図２３】ユーザによりその外表面に力が加えられた際の図２２の断面図である。
【図２４】別の例のインサート配置を示す。
【図２５】別の捕虫装置のシェルの一例を示す。
【図２６】図２５のシェルの線２６−２６に沿って取った断面図である。
【図２７】ユーザによりその外表面に力が加えられた際の図２６の断面図である。
【図２８】別の捕虫装置のシェルの一例を示す。
【図２９】図２８のシェルの線２９−２９に沿って取った断面図である。
【図３０】ユーザによりその外表面に力が加えられた際の図２９の断面図である。
【図３１】別の例のインサート配置を示す。
【図３２】閉鎖位置にある捕虫装置の一例を示す。
【図３３】開放位置にある図３２の捕虫装置を示す。
【図３４】図３２の捕虫装置の分解図である。
【図３５】図３２の捕虫装置と共に使用できるインサートの例を示す。
【図３６】図３２の捕虫装置と共に使用できるインサートの例を示す。
【００２２】
特に定義されない限り、本明細書で使用されている全ての技術的用語及び科学的用語は、本発明が属する分野の当業者に共通に理解されるものと同じ意味を有している。本明細書に記載されているものと同様又は同等の方法及び材料を、本発明を実施又は試験するために使用することが可能であるが、好適な方法及び材料を以下に記載する。本明細書で言及される全ての刊行物、特許出願、特許、及び他の参考文献は、参照することによりそれらの全体が本明細書に組み込まれる。不一致である場合、定義を含め本明細書が適用される。加えて、材料、方法、及び例は、単に例示的なものであり、限定を意図したものではない。
【００２３】
本発明の他の特徴及び利点は、以下の詳細な説明及び特許請求の範囲から明らかとなるであろう。
【発明を実施するための形態】
【００２４】
本開示は、捕虫装置、捕虫装置を作製する方法、及び捕虫装置を使用する方法を提供する。本明細書で開示される捕虫装置の機能、設計、及び使用の原理についての全体的な理解を提供するため、本開示の様々な非限定的な実施形態が説明される。これらの非限定的実施形態の１つ以上の例を添付の図面に示す。当業者であれば、本明細書で説明され、かつ添付図面に示される方法が非限定的実施形態例であり、本開示の様々な非限定的実施形態の範囲は、特許請求の範囲によってのみ定義されることが理解されるであろう。ある非限定的な実施形態に関して図示又は説明される特徴は、他の非限定的な実施形態の特徴と組み合わせることが可能である。そのような修正及び変形は、本開示の範囲内に含まれるものとする。
【００２５】
図１〜図２を参照すると、非限定的な一実施形態に従う例示的な捕虫装置１００が示される。図２は、図１に示す捕虫装置１００の分解図である。捕虫装置１００は、ベース１０２と、ユーザによってベース１０２に選択的に連結可能なカートリッジ１１８と、を有する。カートリッジ１１８は、インサート１５０と、インサート１５０を受容するように構成されたシェル１２２と、を含む。下記でより詳細に説明するように、インサート１５０は、接着剤部１５２と接触した虫を不動化する接着剤部１５２を含むことができる。捕虫装置１００がコンセントなどの好適な電源に差し込まれることができるように、ベース１０２は突起部１１２を含むことができる。他の構成では、捕虫装置１００は、搭載バッテリ又は他のタイプの電源（すなわち、ソーラー）から電力を引き込むことができる。捕虫装置１００は、装置内に虫を引き込むために、熱、光、化学組成物誘引物質などの様々な誘引物質を利用することができ、誘引物質のうちの一部は、動作に電源を必要とし得る。このように、発熱素子１１０（図７）、光源１１４（図７）、及び／又は捕虫装置１００に虫を誘引する役割を果たすことができるその他の部品を有する様々な車載部品に通電するために電源を使用することができる。下記でより詳細に説明するように、ユーザはシェル１２２と相互作用して、使用済みのインサートを新しいインサートと交換するなどのためにインサート１５０を取り外すことができる。有利なことに、シェル１２２及びインサート１５０の構造配置のために、ユーザは、シェル１２２の特定の部分に力を加えることによってインサート１５０を取り外すことができる。このため、インサート１５０を取り外して廃棄するために、ユーザが接着剤部１５２などのインサート１５０のどの部分にも物理的に接触する必要はない。
【００２６】
図３Ａは、図１に示すシェル１２２の例の上面図を示し、図３Ｂは、図１に示すシェル１２２の例の底面図であり、図４は、図３Ａのシェル１２２の線４−４に沿って取った断面図である。ここで図１〜図４を参照すると、シェル１２２は、前面１２６を有する前部ハウジング１２４と、後面１３０を有する後部ハウジング１２８と、を有し得る。前部ハウジング１２４と後部ハウジング１２８とは、一体に連結してシェル１２２を形成する別個の部品であってもよく、又は前部ハウジング１２４と後部ハウジング１２８とは、一体的にシェル１２２を形成する一体の部品であってもよい。インサートがシェル１２２内に着座したら、前部ハウジング１２４及び後部ハウジング１２８は、インサート１５０の接着剤部１５２を実質的に包囲することができる。前面１２６は、飛翔虫又は地這虫がインサート１５０の接着剤部１５２と接触するように飛翔虫又は地這虫を受容するための、１つ以上の開口部１３２を画定することができる。図１〜図４は開口部１３２の配置の一例を示しているが、１つ以上の開口部１３２の寸法、配置、及び数は変化し得ることは理解されよう。前部ハウジング１２４は凸状であり、シェル１２２の底部の後部ハウジング１２８から離間していてもよく、その結果、前部ハウジング１２４と後部ハウジング１２８とは、シェル１２２の内表面１３８によって画定される空洞１３５へのアクセスを提供する底部開口部１３４（図２及び３Ｂ）を全体として画定する。シェル１２２又はインサート１５０の底部は、虫を誘引して捕獲するために消費者が使用する際に配置されるようにシェル１２２又はインサート１５０が配置された時に、決定される。一部の構成では、下記で更に詳細に説明するとおり、その最も幅広の箇所で測定された底部開口部１３４の幅は、インサート１５０の一部の幅よりもわずかに広くあり得る。更に、底部開口部１３４の両側面は、テーパ状であっても、溝付きであっても、又はインサート１５０がユーザによってシェル１２２に滑入される際にインサート１５０の適切な位置合わせを補助するその他の構成であってもよい。シェル１２２の上部１２１は、実質的に又は完全に閉じていてもよい（非限定的な例として図１に示されるとおり）。更に、インサート１５０がシェル１２２内に着座した時、上部１２１がインサート１５０の上部１５８（図６）に隣接して配置されてもよい。
【００２７】
下記でより詳細に説明するように、インサート１５０が底部開口部１３４を通してシェル１２２に滑入されたら、ユーザがインサート１５０を廃棄することを望むまで（すなわち、捕虫装置１００を長時間使用した後で）インサート１５０がシェル１２２内に保持されるように、シェル１２２をインサート１５０と機械的に係合するように構成することができる。例えば、一部の構成では、シェル１２２は、インサート１５０の対応する要素と選択的に係合するか、又はその他の方法で係止する突出部又はその他の特徴を含むことができる。その他の構成では、インサート１５０の外幅をシェル１２２の内幅よりもわずかに大きくすることによって、摩擦嵌め（締まり嵌め又はプレス嵌めと称される場合もある）を用いてもよい。使用される機械的係合の種類に関係なく、ユーザがシェル１２２の外表面の１つ以上の指定された領域に内向きの力を選択的に加えることによって、インサート１５０をシェル１２２から選択的に取り外すことができる。
【００２８】
図５は例示のインサート１５０の上面図を示し、図６はインサート１５０の正面図である。ここで図１〜図６を参照すると、インサート１５０は、接着剤部１５２が取り付けられたフレーム１６６を備える。本明細書で使用する時、フレーム１６６とは、概して、中央開口部１６７（図２）を画定する構造部材を意味し得る。フレーム１６６は、中央開口部１６７の全体の寸法と比較して、厚さ及び幅を薄くすることができる。図２に示されるフレーム１６６は、中央開口部１６７全体を包囲するものであるが、その他の構成では、フレーム１６６は、中央開口部１７６を部分的に包囲するのみでもよい。接着剤部１５２は、シェル１２２の開口部１３２のうちの１つから捕虫装置１００に侵入して接着剤に接触した虫を不動化するためのものである。いくつかの実施形態では、接着剤部１５２は接着剤（又は接着剤を含む接着剤組成物）を含み、接着剤又は接着剤組成物は、基板にコーティングされるか、又はその他の方法で基板に塗布されるか、又は基板に組み込まれる。接着剤は、感圧性接着剤であってもよい。いくつかの実施形態では、接着剤は、例えば、アクリル系ポリマー、ブチルゴム、天然ゴム、ニトリル、シリコーン、スチレンブロック共重合体、スチレン−エチレン／プロピレン、スチレン−イソプレン−スチレン、及び／若しくはビニルエーテル系接着剤、又はそれらの混合物である。基板は、フィルム、織布、又は不織布（紙を含む）などの多種多様な形態で提供することができる。いくつかの実施形態では、基板は、ポリカーボネート、ポリエチレンテレフタレート（ＰＥＴ）、又はポリプロピレンを含むフィルムの形態である。基板は１つ以上の層を含んでもよい。概して、接着剤部１５２の厚さは約０．０１ｍｍ〜約５ｍｍの範囲であり得る。いくつかの実施形態では、接着剤の厚さは約０．０５ｍｍ〜約０．２ｍｍの範囲であり得る。接着剤部１５２の表面積は、約２５ｃｍ２〜約１５０ｃｍ２であり得る。接着剤部１５２は、透明又は半透明の基板（例えば、フィルムなど）にコーティングされた透明又は半透明の接着剤を含むことができる。使用前に、接着剤部１５２を覆うための剥離ライナを接着剤部１５２に適用してもよい。例えば、ユーザは、インサート１５０をシェル１２２に挿入する直前に剥離ライナを剥がして、接着剤部１５２を露出させることができる。
【００２９】
インサート１５０は、接着剤部１５２を完全に包囲するフレーム１６６を含むように示されているが、本開示はそのように限定されていない。例えば、フレーム１６６は、接着剤部１５２の周囲に部分的にのみ延在していてもよい。構成の一実施例では、フレーム１６６は、接着剤部１５２の第１の垂直面に沿って延在し、接着剤部１５２の上部を横切って、接着剤部１５２の第２の垂直面まで下りてもよい。このような構成では、接着剤部１５２の底縁部はフレームを有さない。他の構成では、インサート１５０はフレームレスであってもよく、接着剤部１５２は基板の少なくとも中央部に適用され、基板は十分な構造剛性を提供する。更に、接着剤部１５２は、示されるように平面状であってもよく、又は、例えば湾曲状などの他の好適な構成を有してもよい。図４及び図６に示すように、フレーム１６６の外周はシェル１２２と同様に成形されてもよい。フレームは、シェル１２２の底部開口部１３４のいずれかの側のテーパ部分に受容されるように寸法決めされた第１の側縁部１５４及び第２の側縁部１５６を有する。インサートは、約７５ｍｍ〜約１２５ｍｍの高さ、及び約５０ｍｍ〜約１００ｍｍの幅を有し得る。底部開口部１３４の両側のテーパ状の特徴は、ユーザがインサート１５０をシェル１２２に滑入させた時にインサート１５０の位置合わせを助けることができる。フレーム１６６は更に、高さ及び第１及び第２の側縁部１５４、１５６で終端する上部縁部１６０を有する上部１５８を有する。一部の構成では、上部縁部１６０の高さは、約３０、４０、５０ｍｍ〜約７５、１００、１２５ｍｍである。上部縁部１６０は、図６に示す円弧などの任意の好適な形状を有してよい。
【００３０】
一部の構成では、インサート１５０は、昆虫誘引組成物を貯蔵するためのリザーバ１７６を有する。昆虫誘引組成物は、気体、液体、及び固体を含む多種多様な形態で提供することができる。一部の実施形態では、昆虫誘引組成物は、虫誘引性の１つ以上の剤を含む固体組成物の形態で提供され得る。固体組成物はまた、１つ以上の液体及び１つ以上のゲル化剤を含む、ゲルなどの半固体組成物を含む。ゲル化剤は組成物内の架橋ネットワークの形成を容易にすることができる。リザーバ１７６は更に、最初に接着剤部１５２によって不動化されたが、乾燥して脆くなった後で接着剤部１５２によって十分に保持されなくなった虫などの落下した虫を捕捉する働きをすることもできる。リザーバ１７６は、前壁１８０及び後壁１８２によって画定することができ、前壁１８０はリザーバ１７６の開口部の少なくとも一部を画定する。前壁１８０はフレーム１６６と一体的に形成されてもよい。一部の構成では、リザーバ１７６は、リザーバ１７６が昆虫誘引組成物で充填された後で剥離ライナ１８６を取り付けてリザーバ１７６を覆うことを助けるために、リザーバ開口部の一部に沿って延在する出っ張り１８４を備え得る。リザーバ用の剥離ライナ１８６は、接着剤部１５２の剥離ライナ１８６と一体であってもよい。いずれにしても、ユーザがインサート１５０をシェル１２２に挿入する前に、剥離ライナ１８６をリザーバ１７６から除去することができる。図５に示すように、出っ張り１８４は前壁１８０に沿って延在してもよい。更に又はあるいは、出っ張り１８４は後壁１８２から延在してもよい。出っ張り１８４は壁１８０の上面によって形成されてもよく（すなわち、壁１８０が十分な厚さを有する場合）、又は出っ張り１８４は、外向きの出っ張り、内向きの出っ張り、若しくはこれらの組み合わせであってもよい。出っ張り１８４は、例えば約１ｍｍ〜約４、６、又は８ｍｍの深さを有し得る。リザーバ１７６は、約１ｍｍ〜約３０ｍｍの深さと、約１０ｍｍ〜約１００ｍｍの幅と、約１ｍｍ〜約５０ｍｍの高さとを有し得る。リザーバ１７６は約１ｃｍ３〜６０ｃｍ３の容積を有し得る。リザーバ１７６は、インサート１５０がシェル１２２と係合して、シェル１２２がベース１０２と係合したら、昆虫誘引組成物が開口部１３２から蒸発又は分散することができるように位置決めされ得る。リザーバ１７６などの本開示によるリザーバは、後でフレーム１６６に取り付けられる、後壁１８２を含むワンピースとして製造されてもよい。あるいは、後壁を含むリザーバは、射出成形プロセスなどによって、フレームと一体的に同じ材料から形成されてもよい。接着剤部１５２は、リザーバ開口部に隣接して終端してもよく、あるいは下方に延在してリザーバ開口部を通過し、リザーバの後壁１８２を横切ってもよい。したがって、一部の構成では、製造中に加熱された誘引物質で充填されないリザーバなどのために、後壁１８２（図５）は接着剤部１５２によって形成される。リザーバ１７６内の昆虫誘引組成物の誘引物質は使用中に蒸発し得るため、リザーバ１７６が接着剤部１５２と連結していて、両方の部品が同時に交換可能となることが有利である。更に、リザーバ１７６の接着剤部１５２に対する位置決めのため、リザーバ１７６は接着剤部１５２の表面積を遮断しないようにベース内に受容され得る。この配置は更に、捕虫のための接着剤部１５２の表面積を最大化させる。
【００３１】
その他の構成では、インサート１５０は、リザーバ１７６を含まなくてもよい。更にその他の構成では、インサート１５０はリザーバ１７６を含まず、接着剤部１５２はインサート１５０の前面及び後面の両方に位置決めされる。こうした構成では、前面が十分な数の虫を不動化したら、ユーザはインサート１５０をシェル１２２から取り外し、インサート１５０を回転させ、インサート１５０をシェル１２２に再び挿入することができる。この位置で、インサート１５０の後面は開口部１３２に隣接して位置決めされ、シェルに侵入した虫を不動化するために用いることができる。
【００３２】
フレーム１６６及びシェル１２２は、インサート１５０をシェル１２２に選択的に係合させるように構成することができる。示される構成では、フレーム１６６の第１の側縁部１５４及び第２の側縁部１５６はそれぞれ、フレーム１６６の上部縁部１６０の終端部と底縁部１６１などの底部との間に位置決めされた凹み１６２を有する。凹み１６２のそれぞれの頂縁部１５９は、底縁部１６１から上部縁部１６０に向かって垂直方向に測定して、例えば、インサート１５０の底部から約１０、１５、２０ｍｍ〜約４０、５０、６０、７０、８０、９０ｍｍ上方に配置され得る。図４に示すように、シェル１２２は、内表面１３８から延出する突出部１４０を有してもよい。フレーム１６６の凹み１６２は、これらがシェル１２２の突出部１４０と係合して捕捉することができるように寸法決め及び位置決めされてもよい。こうして、インサート１５０が完全にシェル１５０内に着座したら突出部１４０が凹み１６２と係合するように、突出部１４０はシェル１２２内に位置決めされ得る（すなわち、インサート１５０はシェル１２２の上部１２１を介した更なる挿入を止められている）。
【００３３】
第１の側縁部１５４及び第２の側縁部１５６のそれぞれの凹み１６２は、約０．５ｍｍ〜約１０ｍｍ長さ、及び約０．５ｍｍ〜約３．５ｍｍの深さを有することができる。シェル１２２の内表面１３８上の突出部１４０は、約０．４ｍｍ〜約９．９ｍｍの長さ、及び約０．２ｍｍ〜約４ｍｍの幅を有することができる。こうして、ユーザによってインサート１５０が底部開口部１３４を通してシェル１２２内に完全に挿入されたら、シェル１２２のいずれかの側の突出部１４０は、フレーム１６６の対応する凹み１６２と係合して、インサート１５０をシェル１２２内に着座させる。いくつかの構成では、ユーザは係合が生じたことを感じ、それによってユーザに触覚フィードバックが提供される。インサート１５０とシェル１２２との選択的な機械的係合は図４及び図６の凹み１６２及び適合する突出部１４０を用いて容易となるが、本開示の範囲から逸脱することなく、様々な他の好適な構成を用いてインサート１５０をシェル１２２内に着座させることができる。
【００３４】
図７は、ベース１０２の等角図を示す。図１〜図７を参照すると、ベース１０２は、発熱素子１１０を収容することができる、上方に延在するハウジング１０８を有し得る。カートリッジ１１８がベース１０２と係合する際に、上方に延在するハウジング１０８は、底部開口部１３４を通ってシェル１２２の空洞１３５内に延在する。上方に延在するハウジング１０８は、カートリッジ１１８がベース１０２と係合すると、上方に延在するハウジング１０８が後部ハウジング１２８とインサート１５０との間に位置決めされるように位置決めされる。好適な電源（電池、コンセントなど）によって通電されると、発熱素子１１０は、上方に延在するハウジング１０８及びインサート１５０の隣接する接着剤部１５２を暖めて加熱する。接着剤部１５２を温めることは、特定の種類の虫を捕虫装置１００に誘引することの助けとなり得る。例えば、加熱された接着剤部分１５２は、生体表面（すなわち、皮膚）の熱的特徴を模倣することができる。発熱素子１１０は、例えば、正の温度係数（ＰＴＣ）ヒータ、抵抗系ヒータ、又は電気エネルギーを熱エネルギーに変換する任意の他の種類の素子であってよい。ベース１０２は更に、発光ダイオード（ＬＥＤ）１１６として示される光源１１４を有してもよい。ＬＥＤ  １１６は、貫通孔技術などの任意の好適な取付技術を用いてよい。一部の構成では、ＬＥＤ  １１６が表面実装型デバイス（ＳＭＤ）であるように、ＬＥＤ  １１６のうち１つ以上が表面実装技術（ＳＭＴ）を利用する。ＬＥＤ  １１６は、固体照明の一形態である。ＬＥＤのいくつかの例としては、半導体発光ダイオード、ポリマー発光ダイオード、有機発光ダイオードなどが挙げられる。使用され得るその他の光源としては、白熱又はフィラメント系照明、蛍光灯、若しくはハロゲンライト、又はキセノンライトを挙げることができるが、これらに限定されない。照明は、その出力の波長を調整するためのフィルタを有してもよく、又は有しなくてもよい。光源１１４は、カートリッジ１１８がベース１０２と係合すると、光源１１４が上方に延在するハウジング１０８とインサート１５０との間に位置決めされるように位置決めされる。こうして、光源１１４は、通電されると接着剤部１５２を照明する。
【００３５】
上方に延在するハウジング１０８は、カートリッジ１１８がベース１０２と係合すると、上方に延在するハウジング１０８の中央部とインサート１５０との間に空洞を形成するように働く、凹状の前面１０４を有し得る。上方に延在するハウジング１０８の前面１０４は平滑な凹状面として示されているが、本開示はそのように限定されない。前面１０４は、前面１０４の中央部が前面１０４の側部に対して凹んでおり、それにより内向きのバルジを形成する、凹形状を形成する表面の任意の好適な構成又は組み合わせを有してよい。前面１０４の構成例としては、平面部分、面取り部分、湾曲部分、曲線部分などを挙げることができる。図２に示すように、光源１１４は、ベース１０２上の、上方に延在するハウジング１０８とインサート１５０との間に形成された空間内に位置決めされ得る。用いられる光源１１４の波長及び種類は、特定の種類の光に惹きつけられる虫を誘引するように選択することができる。更に、発熱素子１１０及び光源１１４を操作するための回路機構を含む回路基板１０６（図８Ａ）をベース１０２内に位置決めすることができる。回路基板１０６は、リザーバ１７６の後方に位置決めされ得るように、ベース１０２内に垂直に取り付けられてよい。回路基板１０６はリザーバ１７６の後方に位置決めされているため、昆虫誘引組成物が回路と接触する可能性は最小化される。図７に示すように、ベース１０２は更に、シェル１２２がベース１０２に連結される際に、リザーバ１７６の少なくとも一部を受容するように寸法決めされた、空洞１２０を画定することができる。
【００３６】
捕虫装置１００の使用準備をするためにカートリッジ１１８をベース１０２に連結するには、図８Ａに示すように、上方に延在するハウジング１０８がシェル１２２に受容され、かつ、接着剤部１５２の後面と後部ハウジング１２８の内表面との間に位置決めされるように、上方に延在するハウジング１０８を覆うようにカートリッジ１１８を引き下げる。ベース１０２の一部は、底部開口部１３４を通して空洞１３５（図３Ｂ）に受容され得る。ベース１０２は、シェル１２２の底部と係合して、カートリッジ１１８をベース１０２と機械的に係合させることができる。こうした係合は、摩擦嵌め接続、又は例えばクリップ、ラッチ、磁石、又は戻り止めなどの他の好適な種類の接続を用いて、ユーザがカートリッジ１１８とベース１０２とを分離させることを望むまで、シェル１２２とベース１０２との連結を維持することができる。カートリッジ１１８がベース１０２に固着されたら、次に捕虫装置１００を操作して虫を誘引して不動化することができる。しかしながら、一部の構成では、ベース１０２に連結することなくカートリッジ１１８を用いて、虫を誘引して不動化できることに留意されたい。例えば、インサート１５０をシェル１２２に挿入した後で、カートリッジ１１８をテーブル、床、又は他の好適な表面上に配置して、虫が接着剤部１５２によって捕獲されるように、リザーバ１７６内の昆虫誘引組成物を用いて虫をシェル１２２内に引き寄せてもよい。
【００３７】
一部の構成では、ベース１０２は、カートリッジ１１８がベース１０２に係合してシェル１２２に力が加えられた際に、シェル１２２の前面及び／又はシェル１２２の後面のうちの１つ以上のたわみを制限する、少なくとも１つの直立タブを備える。図８Ａは、カートリッジ１１８がベース１０２に係合してシェル１２２に力が加えられた際に、シェル１２２の前部ハウジング１２４のたわみを制限するように位置決めされた、例示の直立タブ１７４を示す（仮想線で示す）。このように、直立タブ１７４は、カートリッジ１１８がベース１０２から着脱される時に、誤ってインサート１５０がシェル１２２から取り外されるリスクを軽減することができる。直立タブ１７４は更に、シェル１２２の内表面１３８上の対応するドーム又はその他の特徴と一致するように構成されて、シェル１２２が適切に着座した時にユーザに触覚フィードバックをプロファイルする（profile）、ディンプル又は他の種類の戻り止めを含んでもよい。こうした機械的特徴は、ユーザ１２２がシェル１２２をベース１０２に係合させる時に、シェル１２２をその着座位置（seated positioned）に引き戻すことにも役立つことができる。
【００３８】
昆虫誘引組成物が消耗した時及び／又は接着剤部１５２を交換する必要がある時などの後の時点で、カートリッジ１１８は、ユーザによってベース１０２から係合解除されることができる。カートリッジ１１８をベース１０２から持ち上げた時、凹み１６２と突出部１４０との間の相互作用、又は他の種類の機械的係合（例えば、摩擦嵌め）に起因して、インサート１５０はシェル１２２内に着座した状態を維持する。こうして、ユーザは、カートリッジ１１８をベース１０２から取り外すために、フレーム１６６又は接着剤部１５２と直接物理的に接触しないで済む。次に、インサート１５０をシェル１２２から取り外す準備をする際に、カートリッジ１１８をゴミ容器１４８（図８Ｂ）の上方に位置決めしてよい。インサート１５０を取り外すために、ユーザは、人差し指及び親指でシェル１２２を押しつぶすことなどにより、前部ハウジング１２４及び／又は後部ハウジング１２８に力を加える。一部の構成では、前部ハウジング１２４及び／又は後部ハウジング１２８は、前部ハウジング１２４及び／又は後部ハウジング１２８上のどこに力を加えるべきかをユーザが識別するのを助けるために、ディンプル、ドーム、リング、図形、及び／又はその他の物理的特徴を有してもよい。シェル１２２は底部開口部１３４（図３Ｂ）を有するため、シェル１２２又はインサート１５０を反転する必要なしに、インサート１５０をシェル１２２から分配することができる。こうして、インサート１５０がシェル１２２から取り外された時にリザーバ１７６内に残る全ての誘引物質は、インサート１５０がゴミ容器１４８内に落ちるまでリザーバ内に残る可能性が高い。
【００３９】
図８Ｂに示すように、ユーザは、例えば、シェル１２２の下部１３６に力を加えることができる。下部１３６は、約１．５ｍｍ、２、４、６、８、１０ｍｍ〜約２８、３０、３２、３４、３６、４０、４５ｍｍの高さを有し得る。下部１３６は、底部開口部１３４に隣接して位置決めされてもよく、そうすることで、ユーザがシェル１２２を押しつぶした時の十分な屈曲が促進される。更に、前部ハウジング１２４及び／又は後部ハウジング１２８の壁厚は、所望の量の可撓性を提供するのに十分であり得る。一部の構成では、前部ハウジング１２４及び／又は後部ハウジング１２８の壁厚は、約０．２５ｍｍ〜５ｍｍである。ユーザがシェル１２２を押しつぶした時、シェル１２２は、前部ハウジング１２４及び後部ハウジング１２８の中央部が内向きにたわみ、互いにより接近するように屈曲する。力は、ユーザによりその指を用いて加えられる。一部の構成では、シェル１２２に加えられる力は、約１Ｎ、２、３、４、５、６〜約２０、２４、２６、２８、３０、３２、３４、３６、又は５０Ｎであってよい。一部の構成では、１０Ｎ〜３５Ｎなどのより軽い手力を加えることが望ましい場合がある。前部ハウジング１２４及び／又は後部ハウジング１２８のたわみは、力が加えられる位置において、約１ｍｍ〜約３０ｍｍであってよい。前部ハウジング１２４及び後部ハウジング１２８の中央部が内向きにたわむと、前部ハウジング１２４及び後部ハウジング１２８の側部は外向きにたわむ。一部の構成では、力を加えることで、シェル１２２の底部から約０．２ｍｍ〜約３０ｍｍにある点において、シェルにおける約０．２ｍｍ〜約４、６、８、１０ｍｍの合計外向きたわみが生じる。側部が外向きにたわむと、シェル１２２の内表面１３８上の突出部１４０はフレーム１６６の凹み１６２から横方向に引き込まれて、インサート１５０がシェル１２２から係合解除される。インサート１５０がシェル１２２から係合解除されると、重力によってインサート１５０が底部開口部１３４を通ってゴミ容器１４８内まで下向きに落下する。このため、ユーザは、インサート１５０をシェル１２２から取り外すためにフレーム１６６と物理的に接触する必要がないため、接着剤部１５２上に不動化された虫１９０又は接着剤部１５２自体との偶発的な接触は最小限に抑えられる又は排除される。更に又はあるいは、ユーザは、上述したように、前部ハウジング１２４及び後部ハウジング１２２を同時に押しつぶしながら、インサート１５０の一部を把持してインサート１５０をシェル１２２から引き抜くことを望む場合がある。インサート１５０がシェル１２２から分配されたら、ユーザは、前部ハウジング１２４及び後部ハウジング１２８の前部、並びに突出部１４０がそれらの元の位置に戻るようにシェル１２２を解放して、新しいインサート１５０の挿入及び保持に対応することができる。
【００４０】
図９〜図１０は、別の実施形態に基づく捕虫装置２００を示す。捕虫装置２００は、捕虫装置１００と多くの点で同様かあるいは同じであってよい。例えば、捕虫装置２００は、シェル２２２と、ベース２０２と係合することができるインサート２５０と、を有するカートリッジ２１８を含み得る。示されるように、ベース２０２は、シェル２２２に受容される、上方に延在するハウジング２０８を有する。インサート２５０は、接着剤部２５２とリザーバ２７６とを有する。インサート２５０は、接着剤部２５２及び／又はリザーバ２７６を被覆して保護する１つ以上の剥離ライナを有し得る。こうした剥離ライナは、インサート２５０をシェル２２２に挿入する前にユーザによって取り外されてもよい。シェル２２２は、シェル２２２の一部に力が加えられた際に、インサート２５０が取り外されて、底部開口部２３４を通してカートリッジ２１８から分配され得るように、図４のシェル１２２と同様に構成することができる。しかしながら、カートリッジ２１８は更に、下方垂下タブ２６４を備える。示されるように、下方垂下タブ２６４は、シェル２２２又はインサート２５０上に位置決めすることができる。カートリッジ２１８がベース２０２と係合すると、下方垂下タブ２６４を受容するスイッチ（図示せず）がベース２０２に位置決めされる。ベース２０２内のスイッチは、虫誘引物質（すなわち、発熱素子、光源など）のうちの１つ以上を操作するように機能することができ、これにより、カートリッジ２１８がベース２０２と係合した時にのみ、こうした虫誘引物質が通電され得るようになっている。こうして、カートリッジ２１８がベース２０２から取り外されると、スイッチが非アクティブ化され、電源が虫誘引物質から取り外される。
【００４１】
下方垂下タブ２６４は、下方垂下タブ２６４の垂直中心線がインサート２５０の垂直中心線からオフセットされるように位置決めすることができる。下方垂下タブ２６２をオフセットすることは、カートリッジ２１８とベース２０２とを適切に位置合わせするのを補助する役割を果たし得る。より具体的には、下方垂下タブ２６４がスイッチ内に受容されるようにカートリッジ２１８が適切な方向に向いている時にのみ、カートリッジ２１８はベース２０２内に完全に着座することができる。更に、下方垂下タブ２６４は、接着剤部２５２が上方に延在するハウジング２０８に面するのではなくシェル２２２の前面の開口部に隣接して位置決めされるように、インサート２５０がシェル２２２内で適切に配置されていることを保証するのを助けることができる。下方垂下タブ２６４は更に、インサート２５０の着脱中にユーザが便利に把持できる点としての役割を果たすこともできる。下方垂下タブ２６４は、任意の好適な構成又は形状を有することができる。いくつかの構成では、下方垂下タブ２６４は、その垂直中点における幅が、インサート２５０の底縁部の幅の７５％未満である。いくつかの構成では、下方垂下タブ２６４は、その垂直中点における幅が、インサート２５０の底縁部の幅の５０％未満である。いくつかの構成では、下方垂下タブ２６４は、その垂直中点における幅が、インサート２５０の底縁部の幅の２５％未満である。いくつかの構成では、下方垂下タブ２６４は、その垂直中点における幅が、インサート２５０の底縁部の幅の１０％未満である。一部の構成では、下方垂下タブ２６４は、インサート２５０の垂直中心線を中心に非対称的でありながら、インサート２５０の垂直中心線と重なる。また、インサート１５０などの本明細書で説明されるその他のインサートもまた、下方垂下タブ２６４と同様の下方垂下タブを用いることができることも理解されたい。
【００４２】
図９〜図１０のシェル２２２もまた、シェル２２２の先端に隣接して位置決めされた押し下げ可能なタブ２４４を有する。図１１はシェル２２２の断面図を示し、図１２はシェル２２２の上部の拡大図を示す。押し下げ可能なタブ２４４は、押し下げ可能なタブ２４４がユーザによって押されると旋回することを可能にするヒンジ接続を形成する溝２９８をシェル２２２内に形成することによって、上面２４２内に形成される。フランジ２９４は、押し下げ可能なタブ２４４に結合されて、シェル２２２の内部に位置決めされる。図１２に示すように、押し下げ可能なタブ２４４がユーザによって押されると、フランジ２９４は矢印２９２によって示される方向に旋回する。インサート２５０は、インサート２５０がシェル２２２に挿入されるとフランジ２９４にフックする、インサート２５０の頂部に近接して位置決めされた肩部２９６を含む。このため、肩部２９６が図１２に示す位置にある時、肩部２９６とフランジ２９４との機械的係合によって、インサート２５０はシェル２２２内に保持される。図１２に示すように、フランジ２９４は、肩部２９６がフランジ２９４を通過するまで、一時的に肩部２９６がフランジ２９４を矢印２９２によって示される方向に旋回させることを助けるように、くさび形であることができる。肩部２９６がフランジ２９６を通過すると、フランジ２９６はその初期位置に戻って、次に押し下げ可能なタブ２４４がユーザによって押されるまでインサート２５０を保持する。
【００４３】
ユーザがインサート２５０をシェル２２２から分配することを望む場合、ユーザは押し下げ可能なタブ２４４を押し、フランジ２９４を肩部２９６から遠ざかるように旋回させる。フランジ２９４が旋回して肩部２９６を通過すると、フランジ２９４は肩部２９６から係合解除され、ユーザが接着剤部２５２又はインサート２５０の任意の他の部分と直接接触することなく、重力又は他の外部提供力（externally provide force）が、図８と同様にインサート２５０をシェル２２２から引き抜き得る。使用済みのインサート２５０が取り外されたら、新しいインサート２５０をシェル２２２内に挿入することができる。新しいインサート２５０の上部は、挿入時にフランジ２９４と係合する肩部２９６を有し得る。
【００４４】
次に、本明細書で説明される捕虫装置と併用するためのインサートを形成するための技術について論ずるが、様々な製造及び／又は組み立て技術を用いることができる。こうした技術は、数ある要因の中でもとりわけ、例えばインサートがフレーム付きであるかフレームレスであるか、リザーバを有しているか、及び／又は剥離ライナを含んでいるかに応じて変化し得る。ここで図１３〜図１８を参照すると、接着剤部をフレーム又は他の種類の基板に取り付けるための技術の例を示すために、インサートの例が描写されている。図１３は、フレーム３６６及び接着剤部３５２の分解側面図を示す。この構成では、接着剤は、接着剤部３５２の外周及び／又はフレーム３６６に適用され、接着剤部３５２はフレーム３６６の前側に貼り付けられる。
【００４５】
図１４は、フレーム４６６及び接着剤部４５２の分解側面図を示す。フレーム４６６は、例えばリザーバ１７６（図６）と同様であり得るリザーバ４７６を有する。この構成では、接着剤部４５２をフレーム４６６に貼り付けるのに、接着剤部４５２の外周の接着剤が用いられる。フレーム４６６は、開放内部を少なくとも部分的に形成又は画定するので、フレーム４６６に取り付けた後で、接着剤部４５２の中央部の接着剤は露出したままとなる。このため、接着剤部４５２の接着剤の第１の部分は、接着剤部４５２をフレームに取り付けるために用いられ（すなわち、フレーム４６６と重なり合う接着剤部４５２の部分）、接着剤部４５２の接着剤の第２の部分は、虫を不動化するために用いられる（すなわち、フレーム４６６の中央開口部内に位置決めされた接着剤部４５２の部分）。
【００４６】
図１５Ａ〜図１５Ｂは、フレーム５６６及び接着剤部５５２の分解側面図、及びフレーム５６６に貼り付けられた接着剤部５５２の図をそれぞれ示す。フレーム５６６は、その表面から外方に延出する複数の突出部５７２を有する。突出部５７２は、突出部５７２が接着剤部５５２を捕捉するように、接着剤部５５２の複数の対応する孔又はノッチに受容される（図１５Ｂに示すように）。一部の構成では、突出部５７２に加えて、接着剤も、接着剤部５５２をフレーム５６６に貼り付けるために用いられ得る。
【００４７】
図１６Ａ〜図１６Ｂは、フレーム７６６及び接着剤部７５２の分解側面図、及びフレーム７６６に貼り付けられた接着剤部７５２の図をそれぞれ示す。図１４と同様に、リザーバ７７６はフレーム７６６の前側に位置決めされる。フレーム７６６を捕捉するように構成された複数の突出部７７２がフレーム７６６の裏側から延出している（図１６Ｂに示すように）。図１６Ａ〜図１６Ｂは、裏側リザーバ７７６に近接してフレーム７６６に沿って延在する接着剤部７５２を示すが、その他の構成では、接着剤部７５２は、フレーム７６６の中央開口部に近接して位置決めされるのみで、リザーバ７７６の後壁を通過して延在しなくてもよい。
【００４８】
図１７は、フレームが前部８６８及び後部８７０を備える構成を示す。接着剤部８５２は、一体に接合すると、接着剤部８５２の外周の少なくとも一部が前部８６８と後部８７０との間に捕捉されるように、前部８６８と後部８７０との間に位置決めされる。接着剤を各層の間に用いることができる。
【００４９】
図１８は、フレームレス構成を有するインサート９５０の分解図を示す。図示のように、接着剤部９５２は、実質的に中実のベース部材９６８に貼り付けられる。ベース部材９６８は、例えば、半剛性のカード用紙、又は他の好適な材料であり得る。ベース部材９６８は、ユーザに把持点を提供するように機能すると共に、上記のように、捕虫装置内のスイッチを作動させるためにも使用され得る、下方垂下タブ９６４を含むことができる。図１８は、下方垂下タブ９６４がベース部材９６８の垂直中心線と概ね位置合わせされていることを示しているが、その他の構成では、下方垂下タブ９６４の垂直中心線は、ベース部材９６８の垂直中心線からオフセットされる。更に、図１８は、接着剤部９５２がベース部材９６８の第１の面上に位置決めされていることを示しているが、本開示はそのように限定されない。一部の構成では、例えば、第２の接着剤部がベース部材９６８の側面に貼り付けられる。こうした構成（両面インサートと称される場合もある）によって、インサート９５０をシェルから取り外し、ユーザによって反転させ、続いて将来の使用のためにシェルに再挿入することを可能にすることができる。更に、図１８には、使用前の接着剤部９５２を被覆して保護するためにベース部材９６８に貼り付け可能な剥離ライナ９８６が示される。本明細書で説明した他のインサートと同様に、インサート９５０が、接着剤部９５２を被覆する剥離ライナ９８６と共に包装されて出荷されるように、製造中に剥離ライナ９８６をインサート９５０（及び／又はインサートのリザーバ）に加えることができる。インサート９５０を捕虫装置のシェルに挿入する直前に、ユーザは剥離ライナ９５０を取り外して廃棄して、接着剤部９５２を露出させ、インサート９５０を使用する準備を整えることができる。示される構成では、剥離ライナ９８６は、ユーザに把持点を提供するための、ベース部材９６８から切り離されるタブ９６５を含む。
【００５０】
ここで図１９Ａ〜図１９Ｂ、及び図２０Ａ〜図２０Ｂを参照すると、光源を含む例示のインサートが示される。こうしたインサートは、光源を有さないベースと共に使用することができる。図１９Ａ〜図１９Ｂは、リザーバを含まないインサート１０５０の等角図を示す。インサート１０５０は、本明細書に記載された他のインサートと同様に、フレーム１０６６によって包囲された接着剤部１０５２を有する。図示していないが、インサート１０５０は、対応するシェルとの機械的係合を提供するための凹み又は他の好適な特徴を含むこともできる。インサート１０５０はまた、１組のＬＥＤ  １０１６を含むとして示される光源１０１４を有する。ＬＥＤ  １０１６が起動すると接着剤部１０５２の後面が照明されるように、ＬＥＤ  １０１６は接着剤部１０５２の後方に位置決めされる。インサート１０５０は更に、インサート１０５０の下部から延出する下方垂下タブ１０６４を有する。下方垂下タブ１０６４の垂直中心線は、インサート１０５０の垂直中心線からオフセットされ、対応するベースのスイッチに受容されるように位置決めされる。下方垂下タブ１０６４は更に、捕虫装置のベース内の対応する接点と電気接触するように位置決めされた電気接点１０１７を有する。一旦電気接触すると、電力を電気接点１０１７及び回路１０１９を通して提供して、光源１０１４及び／又はインサート１０５０上に搭載され得るその他の誘引物質を照明することができる。
【００５１】
図２０Ａ〜図２０Ｂは、リザーバ１１７６を含む以外はインサート１０５０と同様である、インサート１１５０の等角図を示す。インサート１０５０と同様に、インサート１１５０は、フレーム１１６６によって包囲された接着剤部１１５２を有する。インサート１１５０はまた、一組のＬＥＤ  １１１６として示される光源１１１４を有する。ＬＥＤ  １１１６は、インサート１１５０がシェルに滑入されると、ＬＥＤ  １１１６が接着剤部１１５２の後方に位置決めされるように、インサート１１５０のリザーバ１１７６とは反対側に位置決めされる。インサート１１５０は更に、図１９Ａ〜図１９Ｂにおける上述の配置と同様に、インサート１１５０の下部から延出する下方垂下タブ１１６４を電気接点１１１７として有する。一旦ベースと電気接触すると、電力を電気接点１１１７及び回路１１１９を通して提供して、光源１１１４及び／又はインサート１１５０上に搭載され得るその他の誘引物質を照明することができる。
【００５２】
ここで図２１〜図２３を参照すると、シェル１２２２及びインサート１２５０の簡略図が示されている。図２１〜図２３は、その外表面のうち１つ以上に力を加えた時の、シェルの様々な部分のたわみを大まかに示す。図２２は、図２１のシェルの線２２−２２に沿って取った断面図であり、図２３は、内向きの力Ｆ１及びＦ２が加えられる間のシェル１２２２を示す。シェル１２２２に挿入されると、インサート１２５０は、インサート１２５０がシェル１２２２内に保持されるように、シェル１２２２の内表面１２３８の一部と機械的に係合する（すなわち、インターロック機構、摩擦嵌め、又はその他によって）。図２２に示すように、休止位置にある時、シェル１２２２は内部幅（Ｗ１）及び内部深さ（Ｄ１）を有する。図２３に示すように、押しつぶし位置にある時（すなわち、ユーザが力を加えている間）、シェル１２２２は内部幅（Ｗ２）及び内部深さ（Ｄ２）を有する。示されるように、内部幅Ｗ２は内部幅Ｗ１よりも大きく、内部深さＤ２は内部深さＤ１よりも小さい。ユーザは、インサート１２５０を分配するために、シェル１２２２の前面１２２６の前部ゾーン１２３７に力を加えることができる。前部ゾーン１２３７は、シェル１２２２の下部内に位置決めすることができ、またグラフィック的及び／又はテクスチャ的に識別された外表面１２３０であってよい。前部ゾーン１２３７は、シェル１２２２の底部１２３５の上方の高さ（Ｈ）に位置決めされる。一部の構成では、ユーザは、親指及び人差し指を用いて前部ゾーン１２３７及び後部ゾーン１２３９を押しつぶすことなどによって、シェル１２２２の後部ゾーン１２３９（図２３）に同時に力を加えることができる。
【００５３】
シェル１２２２に力が加えられていない時に、シェル１２２２の内部幅（Ｗ１）は、シェルの底部から約１ｍｍ〜約１００ｍｍの点において（図１９の（Ｈ）として示される）約５０ｍｍ〜約１５０ｍｍとなり得る。シェルに力が加えられていない時に（図２２）、シェルの内部深さ（Ｄ１）は、シェルの底部から約１ｍｍ〜約１００ｍｍの点において約２０ｍｍ〜約１００ｍｍとなり得る。
【００５４】
力が加えられた場合、シェルの内部幅（Ｗ２）は、シェルの底部から約１ｍｍ〜約１００ｍｍの点において（図１９の（Ｈ）として示される）約５１ｍｍ〜約１６５ｍｍとなり得る。シェルに力が加えられている時に（図２３）、シェルの内部深さ（Ｄ２）は、シェルの底部から約１ｍｍ〜約１００ｍｍの点において約１０ｍｍ〜約９９ｍｍとなり得る。
【００５５】
一部の構成では、シェル１２２２に力が加えられていない時に、インサート１２５０及びシェル１２２２は、約０．２ｍｍ〜約４ｍｍの締まり嵌めを有する。このため、ユーザは、インサート１２５０を挿入する間、十分な隙間を提供するために前部ゾーン１２３７及び後部ゾーン１２３９に力を加えることができる。内部幅がＷ１からＷ２へと増加することは、インサート１２５０を内表面１２３８から係合解除させ、それにより重力がインサート１２５０をシェル１２２２から引き抜かせて、これをユーザが捨てることが可能となる役割を果たす。インサートを取り外すためにシェルの１つ以上の表面に加えられる力の量は変化し得るが（図２３の力Ｆ１及びＦ２として示される）、一部の構成では、力は約１Ｎ〜約３６Ｎとなる。インサート１２５０を取り外すのに必要な力の量は、機械的係合の種類に応じて変化し得る。例えば、摩擦嵌め連結具を用いる捕虫装置は、インサートを取り外すために、突出部／凹部の連結を用いる捕虫装置よりも大きい又は少ない力を必要とする場合がある。
【００５６】
新しいインサート１２５０をシェル１２２２に挿入する際は、インサート１２５０を適切に着座させるのに特定の量の力が必要となる場合がある。この挿入力は、挿入長さの１０％〜５０／７０％でおよそ０Ｎ、続いて最終的にインサート１２５０をシェル１２２２内に着座させるのに１．２５Ｎ〜４４Ｎであり得る。あるいは、挿入力は、挿入中の任意の点で１．２５Ｎ〜４４Ｎであってもよい。摩擦嵌め連結の場合、内部幅をＷ１からＷ２に広げて挿入を容易にするために、ユーザはゾーン１２３７及び１２３９においてシェル１２２２を押しつぶしてよい。
【００５７】
上記のカートリッジは、インサートを係合解除するために前面及び／又は後面に内向きの力を加えることを示しているが（すなわち、図２１の前部ゾーン１２３７に近接して）、その他の例のカートリッジ構成では、内向きの力をシェルの前面／後面ではなく側面に加えることで、インサートが取り外される。本明細書で使用する時、シェルの側面とは、前部ハウジングの前面が後部ハウジングの後面と会合するシェル外表面の一部を指す。このような内向きの力は、カートリッジがベースから取り外された後で、カートリッジの側面がユーザの親指と１つ以上の指との間に把持される時に、ユーザの手によって加えることができる。押しつぶし力によって側面が内向きにたわむと、前部ハウジング及び／又は後部ハウジングのその他の部分は外向きにたわむことができる。このような外向きのたわみは、シェル内に位置決めされたインサートを取り外して、除去することを可能にする。図２４は、内向きの力をシェルの側面に加えた時にインサートを取り外すように構成されたシェルと共に用いることができる例示のインサート１３５０の等角図を示す。インサート１３５０は、フレーム１３６６によって包囲された接着剤部１３５２を有するように、本明細書で説明される他のインサートと同様であってよい。しかしながら、他の構成では、インサート１３５０はフレームレスであってもよい。インサート１３５０は更に、インサート１３５０の下部から延出する下方垂下タブ１３６４を有し得る。示される構成では、インサート１３５０の前面から外向きに突出する出っ張り１３４０が、接着剤部１３５２の真下に位置決めされる。出っ張り１３４０は、フレーム１３６６と一体的に形成されるか、あるいは他の方法でフレーム１３６６に取り付けられてもよい。出っ張り１３４０は、下記でより詳細に説明するように、シェルの内表面と係合するように構成された係合面１３４１をその遠位端に有してもよい。図２４は、出っ張り１３４０及び係合面１３４１の構造配置の一例を示しているが、本開示の範囲から逸脱することなく、これらの特徴の他の配置を用いることもできる。
【００５８】
ここで図２５〜図２７を参照すると、シェル１４２２及びインサート１４５０の簡略図が示されている。図２５〜図２７は、その側面のうち１つ以上に力を加えた時の、シェル１４２２の様々な部分のたわみを大まかに示す。図２６は、図２５の線２６−２６に沿って取った断面図であり、図２７は、内向きの力Ｆ１及びＦ２が加えられている間のシェル１４２２を示す。インサート１４５０は、その前側から突出する、係合面１４４１（図２７）を有する出っ張り１４４０を有しているため、インサート１３５０と同様である。シェル１４２２に完全に挿入されると、インサート１４５０は、インサート１４５０がシェル１４２２内に保持されるように、シェルの内表面１４３８と機械的に係合する。インサート１４５０はシェル１４２２に対して３点接続を用いることができる。示されるように、インサート１４５０の側部は、シェル１４２２の内表面１４３８から内向きに延出するサイドレール１４４３と係合することができる。サイドレール１４４３は、シェル１４２２の内表面からインサート１４５０とほぼ平行に延出することができる。図２６に示すとおり、インサート１４５０は、サイドレール１４４３と必ずしも完全に重なり合うわけではなく、インサート１４５０のいずれかの側面で、シェル１４２２の内表面１４３８とインサート１４５０の側縁部との間に間隙を形成する。インサート１４５０は、シェル１４２２の内表面１４３８との出っ張り１４４０の係合面１４４１相互作用のためにサイドレール１４４３に対して付勢されてもよい（図２６）。
【００５９】
図２６に示すように、休止位置にある時、シェル１４２２は内部幅（Ｗ１）及び内部深さ（Ｄ１）を有する。インサート１４５０は、両側のサイドレール１４４３の間の間隙よりもわずかに広い幅（Ｗ２）を有する。図２７に示すように、押しつぶし位置にある時（すなわち、ユーザによってシェル１４２２の側部に力Ｆ１及びＦ２が加えられている間）、シェル１４２２は内部幅（Ｗ３）及び内部深さ（Ｄ２）を有する。示されるように、２つの側部が押しつぶされているため、内部幅（Ｗ３）は内部幅（Ｗ１）よりも小さい。しかしながら、それでも内部幅（Ｗ３）は挿入幅（Ｗ２）より少なくともわずかに広いので、インサート１４５０をシェル１４２２から取り外すことを妨げるおそれのある内向きの力をシェル１４２２の側部がインサート１４５０に加えることを避けることができる。力Ｆ１及びＦ１が加えられている間、内部深さ（Ｄ２）は内部深さ（Ｄ１）よりも大きくなる。内部深さがＤ１からＤ２に増加すると、出っ張り１４４０の係合面１４４１は内表面１４３８から分離し（図２７に示すように）、それによって、インサート１４５０をサイドレール１４４３に対して保持していた付勢力が除去される。次に、ユーザ又は重力のいずれかによって、インサート１４５０をシェル１４２２から引き出してよい。
【００６０】
ユーザは、インサート１４５０を分配するため、又は一部のケースでは、インサート１４５０をシェル１４２２に挿入することを補助するために、力Ｆ１及びＦ２を、シェル１４２２の第１のサイドゾーン１４３７及び／又は第２のサイドゾーン１４３９にそれぞれ加えてよい。第１のサイドゾーン１４３７及び第２のサイドゾーン１４３９は、前面１４２６と後面１４３０とが接合する場所に近接している。一部の構成では、第１のサイドゾーン１４３７及び第２のサイドゾーン１４３９は、シェル１４２２の下部内に位置決めされてよく、またグラフィック的及び／又はテクスチャ的に識別された外表面１４３０であってよい。示される構成では、第１のサイドゾーン１４３７及び第２のサイドゾーン１４３９は、シェル１４２２の底部１４３５の上方の高さ（Ｈ）に位置決めされる。一部の構成では、ユーザは、第１のサイドゾーン１４３７及び第２のサイドゾーン１４３９を押しつぶすことなどによって、シェル１４２２の第１のサイドゾーン１４３７及び第２のサイドゾーン１４３９に同時に力を加えてもよい。
【００６１】
ここで図２８〜図３０を参照すると、別の例のシェル１５２２及びインサート１５５０の簡略図が示されている。図２９は、図２８の線２９−２９に沿って取った断面図であり、図３０は、内向きの力Ｆ１及びＦ２がその側面に加えられている間のシェル１５２２を示す。インサート１５５０は、その前側から突出する、係合面１５４１（図２７）を有する出っ張り１５４０を有しているため、インサート１４５０と同様である。この構成では、シェル１５２２は、シェル１５２２の内表面１５３８から延出するサイドレール１５４３を更に有する。しかし、シェル１５２２のサイドレール１５４３は、インサート１５５０に対して概して垂直に延出している。インサート１５５０は、出っ張り１５４０の係合面１５４１とシェル１５２２の内表面１５３８との相互作用により、サイドレール１５４３に対して付勢されてもよい（図２９）。インサート１５５０は、両側のサイドレール１４４３の間の間隙よりもわずかに広い幅（Ｗ２）を有する。図３０に示す適用力Ｆ１及びＦ２によって、内部深さがＤ１からＤ２に増え、内部幅がＷ１からＷ３に減り、それにより係合面１５４１が内表面１５３８から係合解除されて、サイドレール１５４３に対する付勢力が取り除かれると、インサート１５５０は、図２７に示されるものと同様にシェル１５２２から分配され得る。
【００６２】
ここで図３１を参照すると、リザーバ１６７６を含む例示のインサート１６５０が示される。インサート１６５０は、例えば、シェル１４２２、１５２２で使用可能となり得、フレーム１６６６に包囲される接着剤部１６５２及び下方垂下タブ１６６４を含む。出っ張り１６４０は、リザーバ１６７６の前壁１６８０から延出する。出っ張り１６４０の遠位端上の係合面１６４１は、上記の係合面１４４１及び１５５１と同様に、シェルの内表面と係合するように位置決めされる。理解されるように、光源を有するインサートのその他の構成も、シェル１４２２及び１５２２と同様に、これらのインサートがシェルと共に用いられるように係合面を備える出っ張りを含むことができる。ここで図３２〜図３６を参照すると、別の例示の捕虫装置１７００が示される。図示される捕虫装置１７００は、電源を必要とする誘引物質を利用しない。このため、捕虫装置１７００は床、カウンタ、又は棚などの表面上に置かれて、地這虫を捕獲することができる。捕虫装置１７００は、飛翔虫又は地這虫を受容するための開口部１７３４を画定するエンクロージャ１７０５を全体として形成する、前部ハウジング１７２４及び後部ハウジング１７２８を有する。図２６に示す捕虫装置１７００の分解図で示すように、前部ハウジング１７２４はヒンジ１７４３によって後部ハウジング１７２８に連結される。エンクロージャ１７０５は、閉鎖位置（図３２）と開放位置（図３３）との間を選択可能に移動可能である。開放位置では、インサート１７５０の取り外しを容易にするために、前部ハウジング１７２４の少なくとも一部が後部ハウジング１７２８から分離されている。上述の構成と同様に、インサート１７５０は、虫を不動化する接着剤部１７５２を含むことができる。エンクロージャ１７０５が閉鎖位置にある時（図３２）、インサート１７５０は、捕虫装置１７００の少なくとも一部内に取り外し可能に保持され得る。一部の構成では、インサート１７５０は、後部ハウジング１７２８の突出部１７４０と係合する孔１７６２を含む。本開示の範囲から逸脱することなく、他の種類の一時的連結を用いることもできる。
【００６３】
図３２に示すように、前部ハウジング１７２４は、開口部１７３４の両側に位置決めされた押し下げ可能なタブ１７４４を含むことができる。押し下げ可能なタブ１７４４は、後部ハウジング１７２８のレール１７４７と係合するように構成されたリップ１７４９を含む。閉鎖位置にある時（図３２）、レール１７４７はリップ１７４９と係合して、前部ハウジング１７２４及び後部ハウジング１７２８の相対的な位置決めを維持し、それによりインサート１７５０を保持する。ユーザが図３３に示すように押し下げ可能なタブ１７４４を押しつぶすと、リップ１７４９がレール１７４７から係合解除し、それにより後部ハウジング１７２８がヒンジ１７４３を中心に旋回し、かつ前部ハウジング１７２４から離れように矢印１７９２によって示される方向へと揺動することを可能にする。後部ハウジング１７２８がヒンジ１７４３から吊り下がった状態で、重力が使用済みのインサート１７５０を廃棄のために突出部１７４０から引き抜くことができる。ユーザは、新しいインサートを後部ハウジング１７２８上に配置して、リップ１７４９とレール１７４７とを再係合させてエンクロージャ１７０５を閉鎖位置に戻し、装置を使用のために準備することができる。
【００６４】
一部の構成では、捕虫装置１７００と共に使用可能なインサートは、様々な種類の誘引物質を含むことができる。図３５３６は、捕虫装置１７００と共にそれぞれ使用可能なゲル状の昆虫誘引物質を貯蔵するためのリザーバを含むインサートを示している。最初に図３５を参照すると、フレーム１８６６及び接着剤部１８５２を有するインサート１８５０が示されている。リザーバ１８７６は、フレーム１８６６の一部によって画定される。リザーバ１８７６は、使用中に虫が捕虫装置１７００の開口部１７３４に引き込まれ得るように、昆虫誘引組成物を貯蔵することができる。図３６は、同じくフレーム１９６６及び接着剤部１９５２を有するインサート１９５０を示す。リザーバ１９７６は、フレーム１９６６の一部によって画定される。この構成では、フレーム１９６６は、リザーバ１９７６に近接して複数の孔を画定する。こうした孔は、例えば、昆虫誘引組成物の蒸発速度を低下させる、又は他の方法で昆虫誘引組成物をリザーバ１９７６内に保持することを助けることができる。リザーバ１８７６及び１９７６は、使用中に虫が捕虫装置１７００の開口部１７３４に引き込まれ得るように、それぞれ昆虫誘引組成物を貯蔵することができる。両方のインサート１８５０及び１９５０は更に、ユーザが対応するインサートのフレーム又は接着剤部と直接物理的に接触することなしに、捕虫装置１７００から排出されることができる。
【００６５】
本開示の更なる非限定的な説明
以下の番号が付与されたパラグラフは、後に所望される場合は特許請求の範囲に添付するのに好適な形態で本開示の更なる非限定的な説明を構成する。
１．捕虫装置で使用するためにシェルに挿入するためのインサートであって、シェルは、シェルの内表面から延出する１つ以上の突出部を有し、
捕虫するための接着剤を備える接着剤部と、
接着剤部を少なくとも部分的に包囲するフレームであって、フレームは、２つの側縁部と、高さ及び側縁部で終端する上部縁部を有する上部と、を備え、各側縁は、上部縁部の終端の２ｍｍ以内に位置決めされた頂縁部を有する凹みを有する、フレームと、を備える、インサート。
２．捕虫装置のためのインサートであって、
捕虫するための接着剤を備える接着剤部と、
接着剤部を少なくとも部分的に包囲するフレームであって、フレームは、２つの側縁部と、底縁部と、底縁部から下方に延出する下方垂下タブと、を備え、下方垂下タブの垂直中心線は、接着剤部の垂直中心線からオフセットされている、フレームと、を備える、インサート。
３．接着剤部を被覆する剥離ライナを更に備える、実施例１又は２のいずれか１つに記載のインサート。
４．光源を更に含む、実施例１〜３のいずれか１つに記載のインサート。
５．接着剤部は多孔性でない、実施例１〜４のいずれか１つに記載のインサート。
６．インサートは、昆虫誘引組成物を貯蔵するリザーバを更に備え、リザーバは、接着剤部から離れる方向に延在する前壁及びほぼ平面状の後壁によって画定される、実施例１〜５のいずれか１つに記載のインサート。
７．リザーバと、フレームと、ほぼ平面状の後壁とは、一体的に形成される、実施例６に記載のインサート。
８．接着剤部は、接着剤を備える前面を有し、昆虫誘引組成物は、接着剤部の前面と同じインサートの側面上にある、実施例６〜７のいずれか１つに記載のインサート。
９．リザーバは、昆虫誘引組成物の上方に配置されたリザーバ開口部を備え、接着剤部はリザーバ開口部に隣接して終端する、実施例６〜８のいずれか１つに記載のインサート。
１０．インサートは、接着剤部を包囲するシェルを含まない、実施例１〜９のいずれか１つに記載のインサート。
１１．接着剤部は、その上に接着剤がコーティングされたフィルムから本質的になる、実施例１〜１０のいずれか１つに記載のインサート。
１２．
フレームを形成することと、
リザーバを形成することと、
昆虫誘引組成物をリザーバ内に挿入することと、
接着剤部をフレームの少なくとも一部に取り付けることと、を含む、捕虫用インサートを作製する方法。
１３．リザーバは、前壁と、後壁と、リザーバ開口部と、を備え、フレームとリザーバとは、一体的に形成される、実施例１２に記載の方法。
１４．リザーバは、前壁と、後壁と、リザーバ開口部と、を備え、リザーバはフレームと別個に形成されからフレームに取り付けられる、実施例１２のうちの１つに記載の方法。
１５．接着剤部はリザーバ開口部に隣接して終端する、実施例１３〜１４のいずれか１つに記載の方法。
１６．リザーバは、リザーバ開口部の少なくとも一部の周囲に延在する出っ張りを更に備える、実施例１３〜１５のいずれか１つに記載の方法。
１７．取り外し可能なフィルムを出っ張りに取り付けて、リザーバ開口部を少なくとも部分的に被覆することを更に含む、実施例１６に記載の方法。
１８．接着剤部を取り付ける工程は、リザーバを充填する工程の前に行われる、実施例１２〜１７のいずれか１つに記載の方法。
１９．
地這虫を受容するための開口部を画定するエンクロージャを形成する前部ハウジング及び後部ハウジングであって、前部ハウジングはヒンジによって後部ハウジングに連結され、エンクロージャは開放位置と閉鎖位置との間を選択可能に移動可能であり、前部ハウジングの少なくとも一部は開放位置にある時に後部ハウジングと分離される、前部ハウジング及び後部ハウジングと、
接着剤部を有するインサートであって、エンクロージャが閉鎖位置にある時に、エンクロージャの少なくとも一部分内で取り外し可能に保持される、インサートと、を備える、地這虫捕虫器。
２０．ベースと共に使用するためのカートリッジであって、
接着剤部を備えるインサートと、
飛翔虫又は地這虫を受容するための開口部を画定する前面と、後面と、開口部を備える底部と、を備えるシェルであって、底部の開口部は、カートリッジがベースに係合する際に、ベースに隣接して配置される、シェルと、を備え、
インサートは、少なくとも部分的にシェル内に取り外し可能に保持され、インサートをシェルに挿入する際に、インサートの少なくとも一部は底部の開口部を通過し、
インサートは、ユーザがシェルの前面又はシェルの後面のうちの１つ以上に内向きの力を加えることに応答して、底部の開口部から離脱する、カートリッジ。
２１．光源を更に備える、実施例２０に記載のカートリッジ。
２２．インサートはユーザが接着剤部に触れることなしにシェルから離脱する、実施例２０又は２１のいずれか１つに記載のカートリッジ。
２３．インサートは、力が加えられた後で、重力によってシェルから離脱する、実施例２０〜２２のいずれか１つに記載のカートリッジ。
２４．力を加えることによって、力が加えられる位置において、シェルの前面及びシェルの後面のうちの１つ以上における内向きのたわみが生じる、実施例２０〜２３のいずれか１つに記載のカートリッジ。
２５．インサートは２つの側縁部を備え、側縁部のそれぞれは、シェルの内表面上の対応する突出部と取り外し可能に係合する凹みを有する、実施例２０〜２４のいずれか１つに記載のカートリッジ。
２６．力を加えることで、突出部が凹みから係合解除され、それによりインサートがシェルから取り外される、実施例２５に記載のカートリッジ。
２７．シェルは、フランジに連結されてインサートと係合する押し下げ可能なタブを有する上面を備え、押し下げ可能なタブは、押し下げられるとインサートを係合解除する、実施例２０に記載のカートリッジ。
２８．インサートは、接着剤部を少なくとも部分的に包囲するフレームを更に備える、実施例２０〜２７のいずれか１つに記載のカートリッジ。
２９．インサートは、昆虫誘引組成物を貯蔵するリザーバを更に備え、リザーバは、接着剤部から離れる方向に延在する前壁及び後壁によって部分的に画定される、実施例２８に記載のカートリッジ。
３０．フレームと、リザーバと、後壁とは、一体的に形成される、実施例２９に記載のカートリッジ。
３１．リザーバは、昆虫誘引組成物の上方に配置されたリザーバ開口部を備え、接着剤部はリザーバ開口部に隣接して終端する、実施例２９〜３０のいずれか１つに記載のカートリッジ。
３２．リザーバの少なくとも一部は，シェルの底面の下方を延在する、実施例２０〜３１のいずれか１つに記載のカートリッジ。
３３．インサートは下方垂下タブを更に備え、下方垂下タブの垂直中心線は、インサートの垂直中心線からオフセットされている、実施例２０〜３２のいずれか１つに記載のカートリッジ。
３４．インサートは、摩擦嵌めによってシェル内に取り外し可能に保持される、実施例２０〜３３のいずれか１つに記載のカートリッジ。
３５．インサートは上部を有し、シェルは閉鎖した上部を有し、インサートがシェル内に着座すると、シェルの上部はインサートの上部と近接して配置される、実施例２０〜３４のいずれか１つに記載のカートリッジ。
３６．インサートがシェル内に着座すると、前面及び後面は接着剤部を実質的に包囲する、実施例２０〜３５のいずれか１つに記載のカートリッジ。
３７．
実施例２０〜３６のいずれか１つに記載のインサートと、
実施例２０〜３６のいずれか１つに記載のカートリッジと、を備えるキット。
３８．
その内部に少なくとも部分的に配置されたインサートを有するシェルを把持する工程であって、インサートは、接着剤部を備え、シェルは、飛翔虫又は地這虫を受容するための開口部を画定する前面と、後面と、底部開口部と、を備える、工程と、
シェルの前面又はシェルの後面のうちの１つ以上に内向きの力を加える工程と、
力を加えることに応答して、インサートを重力によって底部の開口部から離脱させる工程と、を含む、カートリッジを使用する方法。
３９．接着剤部はその上に捕捉された複数の虫を有する、実施例３８に記載の方法。
４０．インサートをシェルから離脱させる工程は、インサートをゴミ容器内に落とす工程を更に含む、実施例３８〜３９のいずれか１つに記載の方法。
４１．力を加えた後で、接着剤部がユーザによって触れられることがない、実施例３８〜４０のいずれか１つに記載の方法。
４２．
重力によってインサートをシェルから離脱させた後で、新しいインサートを底部の開口部を介してシェルに挿入することを更に含む、実施例３８〜４１のいずれか１つに記載の方法。
４３．新しいインサートを備えるカートリッジと光源を備えるベースとを係合させる工程を更に含み、底部の開口部は、カートリッジがベースに係合する際に、ベースに隣接して配置される、実施例４２に記載の方法。
４４．カートリッジがベースに係合する際に光源を起動させることを更に含み、光源は接着剤部を照明する、実施例４３に記載の方法。
４５．
ａ）ユーザがインサートを備えるシェルを把持する工程であって、インサートは捕虫するための接着剤部を備え、シェルは、前面と、後面と、シェルの底部の開口部と、を備える、工程と、
ｂ）続いて、工程ａ）の後に、シェルの前面又はシェルの後面のうちの少なくとも１つに力を加え、続いて、インサートがシェルの内部に少なくとも部分的に配置されるまで、インサートを底部の開口部を介してシェルに挿入する工程と、
ｃ）続いて、ｂ）の後に、前面又は後面のうちの少なくとも１つに加えられた力を解放する工程であって、力の解放時に、インサートは摩擦嵌めによってシェル内に保持される、工程と、を含む、カートリッジを使用する方法。
４６．ｃ）の後に第２の内向きの力を前面又は後面のうち少なくとも１つに加え、その結果、インサートは、第２の力が加えられた後で、重力によってシェルから離脱することを更に含む、実施例４５に記載の方法。
４７．捕虫用カートリッジであって、
接着剤部と、昆虫誘引組成物を貯蔵するリザーバと、を備えるインサートと、
飛翔虫又は地這虫を受容するための開口部を画定する前面と、後面と、開口部を備える底部と、を備えるシェルと、を備え、
インサートは、少なくとも部分的にシェル内に取り外し可能に保持され、インサートの少なくとも一部は、インサートをシェルに挿入する際に、底部の開口を通過し、リザーバは、インサートが少なくとも部分的にシェル内に取り外し可能に保持される時に、底部開口部に隣接して位置決めされ、
インサートは、ユーザがシェルの前面又はシェルの後面のうちの１つ以上に内向きの力を加えることに応答して、底部の開口部から離脱する、カートリッジ。
４８．リザーバは、部分的には、接着剤部から離れる方向に延在する前壁によって画定される、実施例４７に記載の捕虫装置。
４９．
ベースと、
インサート及びシェルを備えるカートリッジと、を備え、
シェルは、飛翔虫又は地這虫を受容するための開口部を画定する前面と、後面と、シェルの底部の開口部と、第１のサイドゾーンと、第２のサイドゾーンと、を備え、前面及び後面は、第１及び第２のサイドゾーンのそれぞれの内部に接合し、底部の開口部は、カートリッジがベースに係合する際に、ベースに隣接して配置され、
インサートは、接着剤部を備え、
インサートは、少なくとも部分的にシェル内に取り外し可能に保持され、インサートをシェルに挿入する際に、インサートの少なくとも一部は底部の開口部を通過し、カートリッジがベースから取り外される際に、ユーザがシェルの第１及び第２のサイドゾーン（sides zones）のうちの１つ以上に内向きの力を加えることに応答して、インサートは底部の開口部を介してシェルから離脱する、捕虫装置。
５０．力は手によって加えられる、実施例４９に記載の捕虫装置。
５１．インサートは、ユーザが接着剤部に触れることなしにシェルから離脱する、実施例４９〜５０のいずれか１つに記載の捕虫装置。
５２．インサートは、力が加えられた後で、重力によってシェルから離脱する、実施例４９〜５１のいずれか１つに記載の捕虫装置。
５３．シェルは下部を備え、力はシェルの下部に加えられる、実施例４９〜５２のいずれか１つに記載の捕虫装置。
５５．シェルは、下部の上に物理的表示を備える、実施例５３に記載の捕虫装置。
５６．力を加えることによって、力が加えられた位置以外の位置において、シェルの前面及びシェルの後面のうちの１つ以上における外向きのたわみが生じる、実施例４９〜５５のいずれか１つに記載の捕虫装置。
５７．インサートは、昆虫誘引組成物を貯蔵するリザーバを更に備える、実施例４９〜５６のいずれか１つに記載の捕虫装置。
５８．インサートは、係合面を有する出っ張りを更に備える、実施例４９〜５７のいずれか１つに記載の捕虫装置。
５９．フレームと出っ張りとは一体的に形成される、実施例４９〜５８のいずれか１つに記載の捕虫装置。
６０．捕虫装置のシェルに挿入するためのインサートであって、
捕虫するための接着剤を備える接着剤部と、
接着剤部を少なくとも部分的に包囲するフレームと、
固形の昆虫誘引組成物を貯蔵するリザーバであって、インサートの下部内に内に位置する、リザーバと、を備える、インサート。
６１．リザーバ及び接着剤部のうち１つ以上を被覆する剥離ライナを更に備える、実施例６０に記載のインサート。
６２．光源を更に備える、実施例６０又は６１のいずれか１つに記載のインサート。
６３．昆虫誘引組成物はゲルである、実施例６０〜６２のいずれか１つに記載のインサート。
６４．接着剤部は多孔性でない、実施例６０〜６３のいずれか１つに記載のインサート。
６５．接着剤部は接着剤を備える前面を有し、昆虫誘引組成物は、接着剤部の前面と同じインサートの側面上にある、実施例６０〜６４のいずれか１つに記載のインサート。
６６．リザーバは、接着剤部から離れる方向に延在する前壁及びほぼ平面状の後壁によって画定される、実施例６０〜６５のいずれか１つに記載のインサート。
６７．リザーバと、フレームと、ほぼ平面状の後壁とは、一体的に形成される、実施例６６に記載のインサート。
６８．前壁は凸形状を有し、フレームと一体的に形成され、リザーバは、約１ｃｍ３〜６０ｃｍ３の容積を有する、実施例６６〜６７のいずれか１つに記載のインサート。
６９．リザーバは、昆虫誘引組成物の上方に配置されたリザーバ開口部を備え、接着剤部はリザーバ開口部に隣接して終端する、実施例６６〜６８のいずれか１つに記載のインサート。
７０．リザーバ開口部は、少なくとも部分的に前壁によって画定される、実施例６９に記載のインサート。
７１．インサートは下方垂下タブを更に備え、下方垂下タブの垂直中心線は、インサートの垂直中心線からオフセットされている、実施例６０〜７０のいずれか１つに記載のインサート。
７２．インサートは、接着剤部を包囲するシェルを含まない、実施例６０〜７１のいずれか１つに記載のインサート。
７３．接着剤部は、その上に接着剤がコーティングされたフィルムから本質的になる、実施例６０〜７２のいずれか１つに記載のインサート。
７４．請求項６０〜７３のいずれか一項に記載の１つ以上のインサートを収容するパッケージから本質的になる被包装製品。
【００６６】
本明細書に開示されている寸法及び／又は値は、列挙される正確な数値寸法及び／又は値に厳しく制限されるものとして理解すべきではない。むしろ、別段の指定のない限り、このような寸法及び／又は値のそれぞれは、列挙した寸法及び／若しくは値、並びに／又はその寸法及び／若しくは値の近辺の機能的に同等の範囲の両方を意味することを意図している。例えば、「４０ｍｍ」として開示された寸法は、「約４０ｍｍ」を意味することを意図する。
【００６７】
あらゆる相互参照又は関連特許若しくは関連出願を含む、本明細書で引用される全ての文献は、明確に除外ないしは別の方法で限定されない限り、その全体が本明細書に参照として組み込まれる。いかなる文献の引用も、本明細書中で開示又は特許請求されている任意の発明に関する先行技術であることを認めるものではなく、あるいは上記の引用が、単独で又は任意の他の参考文献（単数又は複数）と組み合わせて、任意のそのような発明を教示、示唆、又は開示することを認めるものではない。更に、本文書における用語の任意の意味又は定義が、参照により組み込まれた文書内の同じ用語の意味又は定義と矛盾する場合、本文書におけるその用語に割り当てられた意味又は定義が適用されるものとする。
【００６８】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2019517820.tif 000003
【図２】
2019517820.tif 000004
【図３Ａ】
2019517820.tif 000005
【図３Ｂ】
2019517820.tif 000006
【図４】
2019517820.tif 000007
【図５】
2019517820.tif 000008
【図６】
2019517820.tif 000009
【図７】
2019517820.tif 000010
【図８Ａ】
2019517820.tif 000011
【図８Ｂ】
2019517820.tif 000012
【図９】
2019517820.tif 000013
【図１０】
2019517820.tif 000014
【図１１】
2019517820.tif 000015
【図１２】
2019517820.tif 000016
【図１３】
2019517820.tif 000017
【図１４】
2019517820.tif 000018
【図１５Ａ】
2019517820.tif 000019
【図１５Ｂ】
2019517820.tif 000020
【図１６Ａ】
2019517820.tif 000021
【図１６Ｂ】
2019517820.tif 000022
【図１７】
2019517820.tif 000023
【図１８】
2019517820.tif 000024
【図１９Ａ】
2019517820.tif 000025
【図１９Ｂ】
2019517820.tif 000026
【図２０Ａ】
2019517820.tif 000027
【図２０Ｂ】
2019517820.tif 000028
【図２１】
2019517820.tif 000029
【図２２】
2019517820.tif 000030
【図２３】
2019517820.tif 000031
【図２４】
2019517820.tif 000032
【図２５】
2019517820.tif 000033
【図２６】
2019517820.tif 000034
【図２７】
2019517820.tif 000035
【図２８】
2019517820.tif 000036
【図２９】
2019517820.tif 000037
【図３０】
2019517820.tif 000038
【図３１】
2019517820.tif 000039
【図３２】
2019517820.tif 000040
【図３３】
2019517820.tif 000041
【図３４】
2019517820.tif 000042
【図３５】
2019517820.tif 000043
【図３６】
2019517820.tif 000044
【国際調査報告】
2019517820.tif 000045
2019517820.tif 000046
2019517820.tif 000047